(57)【要約】【課題】  シャツの第一ボタンを用いずに、襟周りから襟前の打ち合わせ部までの全体を１つの襟保形具で同時に保形することが可能な襟保形具を提供する。【解決手段】  襟台２２ａ，２２ｂの上辺で折り返された左右の襟の折り返し片２０ａ，２０ｂと、襟台２２ａ，２２ｂとの間に挿入される帯状の本体１と、本体１の下辺中央からＴ字をなすように帯状に延出し、シャツの打ち合わせ部２４ｂに設けられたボタン２５の縫い糸に係止するための打ち合わせボタン係止溝１３が形成された襟前押さえ部２と、本体１の上辺から突出する鉤片３ａからなり、左右の襟の折り返し片２０ａ，２０ｂの前端２１ａ，２１ｂと襟台２２ａ，２２ｂとの接続部分２３ａ，２３ｂに、鉤片３ａが掛かるようにして左右の襟を保持する左右一対の襟係止部３とを備えた構成とする。【選択図】図１
2015025215.tif 000002
【特許請求の範囲】
【請求項１】
襟付きシャツの襟保形具であって、
適宜の腰と可撓性を有する透明薄板で形成され、襟台（２２ａ，２２ｂ）の上辺で折り返された左右の襟の折り返し片（２０ａ，２０ｂ）と当該襟台（２２ａ，２２ｂ）との間に挿入される帯状の本体（１）と、
前記本体（１）の下辺中央からＴ字をなすように帯状に延出し、前記シャツの打ち合わせ部（２４ｂ）に設けられたボタン（２５）の縫い糸に係止するための打ち合わせボタン係止溝（１３）が形成された襟前押さえ部（２）と、
前記本体（１）の上辺から突出する鉤片（３ａ）からなり、前記左右の襟の折り返し片（２０ａ，２０ｂ）の前端（２１ａ，２１ｂ）と襟台（２２ａ，２２ｂ）との接続部分（２３ａ，２３ｂ）に、当該鉤片（３ａ）が掛かるようにして前記左右の襟を保持する左右一対の襟係止部（３）とを備えた襟保形具。
【請求項２】
前記襟前押さえ部（２）の左右両側近傍の前記本体下辺（１ａ）には、本体（１）の帯幅が広くなるように突き出す下辺突部（１ｂ）が形成されるとともに、当該襟前押さえ部（２）と当該下辺突部（１ｂ）との間には、本体（１）の帯幅が狭くなるように切欠かれた切欠き部（１ｃ）が形成された請求項１に記載の襟保形具。
【請求項３】
前記本体（１）は、一端に突片（１１）、他端側に当該突片（１１）を挿入係合させるスリット（１２）が形成され、突片（１１）をスリット（１２）に係合させた状態で襟周りを周回する環状帯体となるように形成された請求項１又は請求項２に記載の襟保形具。
【請求項４】
前記襟前押さえ部（２）は、外力を与えない状態で前記帯状の本体（１）がなす平面に対し、前方に湾曲するように成形加工してある請求項１〜請求項３のいずれかに記載の襟保形具。
【発明の詳細な説明】
【技術分野】
【０００１】
本発明は、ワイシャツやカッターシャツ等の襟付きシャツの襟部分を、立体的に折り畳んだ状態で襟部分が型崩れしないように保持する襟保形具に関する。
【背景技術】
【０００２】
襟付きシャツは、襟部分が突出するようにして立体的に折り畳んだ状態で箱詰めにされて搬送される。そして店頭では積み重ねられて陳列・販売される。このように搬送、陳列、販売時には、襟付きシャツどうしが互いに接触し、上に積み重ねられた襟付きシャツの自重が下側の襟付きシャツに加わるようになり、襟部分の型崩れを起こしやすい。そのため、襟部分の形態を保持するために工夫された様々な形状の襟保形具が存在する。
【０００３】
例えば、特許文献１には帯状の襟保形具本体がシャツの襟台の内側へ環状に装着され、当該本体の中央近傍の両側において下縁に沿って設けた浮き上がり防止のための舌片を前身頃と後身頃との間に介入させ、周方向の位置ずれを防止するための鉤片を襟前部の重なり合った襟台の間に挿入し、その位置にある襟台の第一ボタンの縫い付け糸に引っ掛けて使用する襟保形具が開示されている。
上記特許文献１に記載の襟保形具は、襟前部にある襟台ボタンがボタン穴に留められた状態で折り畳まれていることを前提としており、その襟台ボタン（第一ボタン）の縫い付け糸に鉤片を引っ掛けることで襟周りの位置ずれが生じないようにしている。
【０００４】
しかしながら、襟付きシャツの中には、襟台にボタンが付けられていないものがあり、また、ボタンダウン系やスナップダウン系のシャツでは、襟台に第一ボタンが設けられていたとしても、常時留めずに襟前部を開放した状態で着用されることが多くなっている。したがって襟台の第一ボタンが付いていないシャツや、襟台の第一ボタンを外して着用するシャツの場合、店頭に陳列する際には、襟台の第一ボタンを外した状態で陳列する方が、購入者が着こなし感を確かめた上で購入することができるので望ましい。
【０００５】
そこで、特許文献２において、襟台の第一ボタンが外された状態で襟部分を保形するための襟保形具が開示されている。この特許文献２に記載された襟保形具は、帯状の本体が襟台の内側に環状に装着されるようにしてあり、その本体中央付近には切込みが２箇所設けられ、これらの切込みがシャツの襟前部の左右の襟台を挟み込む挟持片となるようにしてある。この発明によれば、シャツの襟前部の左右の襟台が左右に分離した状態であっても、一方の切込みで左の襟台を、他方の切込みで右の襟台を挟み込むようにすることにより、２つの挟持片で襟前部を保持することができるようにしてある。
左右の襟台を挟み込む挟持片を備えた襟保形具は、襟台の第一ボタンを外した状態で左右の襟台部分を保形できるため、襟周りの環状部分を保形する点では優れている。しかしながら襟台の第一ボタンが外されているため、その第一ボタンより下側の襟前に設けられた第二ボタンまでの打ち合わせ部分やその近傍の前身頃部分については、必ずしも十分に保形することができず、撓みや緩みが生じやすい。
【０００６】
そのため、特許文献３（および特許文献２）に示すように、シャツの左右の襟の折り返し片と前身頃との間にそれぞれ挿入されて前身頃を押さえる第一押さえ部、第二押さえ部と、シャツの打ち合わせ部を押さえる第三押さえ部とで略Ｙ字型に形成され、打ち合わせ部に設けた第二ボタンの縫い糸に係止される切欠き溝を備えた保形具の使用が提案されている。そして、特許文献２と特許文献３とに開示されている２つの襟保形具を組み合わせて用いることにより、襟周りから襟前の打ち合わせ部分全体にわたって保形することが開示されている。
【先行技術文献】
【特許文献】
【０００７】
【特許文献１】実用新案登録第２５７９５６５号公報
【特許文献２】特開２００７−１０７１３２号公報
【特許文献３】特開２００７−０８４１３２号公報
【発明の概要】
【発明が解決しようとする課題】
【０００８】
上述したように、襟台に第一ボタンが付いていないシャツや第一ボタンを外した状態で保形するための襟保形具では、襟周りの保形だけでなく、襟前の打ち合わせ部も同時に保形することが必要であり、これまでは複数の襟保形具を組み合わせて使用する必要があった。
そこで本発明は、襟台に第一ボタンが付いていないシャツや第一ボタンを外した状態で保形するための襟保形具であって、襟周りから襟前の打ち合わせ部までの全体を１つの襟保形具で同時に保形することが可能な襟保形具を提供することを目的とする。
【０００９】
また、最近のシャツの打ち合わせ部のデザインには、ボタンを付けた側の打ち合わせ部（例えば前方から見て左側の打ち合わせ部）の模様を、ボタン穴を設けた側の打ち合わせ部（例えば前方から見て右側の打ち合わせ部）の模様とは異なる模様にしたものが存在する。具体的には、ボタン側の打ち合わせ部だけにストライプ模様を描いたり、色を変えたりしたデザインのシャツが販売されている。そのようなシャツでは、襟台の第一ボタンを外していたとしても、ボタンとボタン穴とを十分に開いた状態で保形していなければ、ボタン側の打ち合わせ部の大半がボタン穴側の打ち合わせ部の裏に隠れてしまい、この部分のデザインが前方から見えないまま陳列されてしまうことになる。そこで本発明は、襟前の左右の打ち合わせ部分を十分に開かれた状態で保形することができ、奥側に位置する打ち合わせ部のデザインを前方から視覚的に確認することができる襟保形具を提供することを目的とする。
【課題を解決するための手段】
【００１０】
上記課題を解決するために本発明では次のような技術的手段を講じた。すなわち本発明の襟保形具は、襟付きシャツの襟保形具であって、適宜の腰と可撓性を有する透明薄板で形成され、襟台（２２ａ，２２ｂ）の上辺で折り返された左右の襟の折り返し片（２０ａ，２０ｂ）と、当該襟台（２２ａ，２２ｂ）との間に挿入される帯状の本体（１）と、前記本体（１）の下辺中央からＴ字をなすように帯状に延出し、前記シャツの打ち合わせ部（２４ｂ）に設けられたボタン（２５）の縫い糸に係止するための打ち合わせボタン係止溝（１３）が形成された襟前押さえ部（２）と、前記本体（１）の上辺から突出する鉤片（３ａ）からなり、前記左右の襟の折り返し片（２０ａ，２０ｂ）の前端（２１ａ，２１ｂ）と襟台（２２ａ，２２ｂ）との接続部分（２３ａ，２３ｂ）に、当該鉤片（３ａ）が掛かるようにして前記左右の襟を保持する左右一対の襟係止部（３）とを備えるようにしている。
【発明の効果】
【００１１】
本発明によれば、襟周りは、襟の折り返し片と襟台との間に挿入される帯状の本体で保形される。また、打ち合わせ部近傍を含む襟前部分は、打ち合わせ部が左右に少し広めに開かれた状態、したがって折り返し片も少し広めに開かれた状態で、打ち合わせボタン係止溝と本体上辺に設けられた左右一対の襟係止部とによって３点で保持されるようにして保形される。このとき、左右の襟の折り返し片が左右に広めに開かれた状態から互いに近づくように変形しようとするが、襟係止部の鉤片が引っ掛かって変形を阻止するので、左右の襟の折り返し片は、左右の鉤片により一定距離離れた状態の位置でしっかり保形される。
よって、襟前部分を三角形をなす３点でしっかりと保形することができ、しかも左右の打ち合わせ部が左右に少し広めに開かれているので、ボタン側の打ち合わせ部にある模様や絵柄のデザインについても、ボタン穴側の打ち合わせ部に隠れることなくデザインの一部が前方から確実に見える状態で陳列することができる。
【００１２】
上記発明において、前記襟前押さえ部（２）の左右両側近傍の前記本体下辺（１ａ）には、本体（１）の帯幅が広くなるように突き出す下辺突部（１ｂ）が形成されるとともに、当該襟前押さえ部（２）と当該下辺突部（１ｂ）との間には、本体（１）の帯幅が狭くなるように切欠かれた切欠き部（１ｃ）が形成されるようにしてもよい。
襟前押さえ部の両側に下辺突部を設けたことにより、襟前部分の襟台や襟の折り返し片を高く立てて陳列することができるとともに、打ち合わせ部を少し広めに開いた状態で大きく湾曲させて襟前部分に張りを与えることができ、襟前に撓みやしわが発生しにくくなるようにすることができる。
【００１３】
上記発明において、前記本体（１）は、一端に突片（１１）、他端側に当該突片（１１）を挿入係合させるスリット（１２）が形成され、突片（１１）をスリット（１２）に係合させた状態で襟周りを周回する環状帯体となるように形成してもよい。
これにより、襟周りが環状帯体により保形されるので、襟周り全体をしっかりと保形することができる。
【００１４】
上記発明において、前記襟前押さえ部（２）は、外力を与えない状態で前記帯状の本体（１）がなす平面に対し、前方に湾曲するように成形加工してもよい。
外力を与えないフリーな状態で前方に湾曲する「くせ」を与えておくことにより、襟前を立たせた状態を保持する力が強固に働くようになるので、保形性能を向上させることができる。
【図面の簡単な説明】
【００１５】
【図１】本発明の一実施形態である襟保形具の正面図である。
【図２】図１の襟保形具の使用状態を前方から見た図である。
【図３】図１の襟保形具のひな形をシャツに装着したときの写真である。
【図４】本発明の他の一実施形態である襟保形具の正面図である。
【発明を実施するための形態】
【００１６】
以下において、本発明に係る襟保形具について図面を用いて説明する。図１は本発明の一実施態様である襟保形具Ｋ１の正面図であり、図２はその使用状態を前方から見た図である。さらに図３は図１の襟保形具のひな形をシャツに装着したときの写真である。なお、後述するように襟保形具Ｋ１は透明材料で形成してあることから写真に写りにくいため、便宜上、黒いひな形を使用して写真で取付状態がはっきりと見えるようにしてある。
【００１７】
襟保形具Ｋ１は、主に本体１、襟前押さえ部２、襟係止部３とからなる。襟保形具Ｋ１の素材としては、襟の保形に適した適宜の腰と可撓性を有し、かつ、透明である薄板材料が用いられる。具体的にはＰＥＴ、ポリスチロール等の透明性に優れた合成樹脂が用いられる。腰の強さや可撓性は、例えば板厚で調整することができる。
【００１８】
本体１は中央から左右に延びた帯状をなしており、図における本体１の左側端部に突片１１が設けてあり、本体１の右側には突片１１を挿入して係合させるためのスリット１２が複数形成してあり、いずれかのスリット１２に突片１１を挿入することで環状帯体をなすようにしてある。なお、本実施形態では本体１は直線状に延びる帯体にしてあるが、Ｖ字型、逆Ｖ字型の帯体にする等、多少変形してあってもよい。
【００１９】
襟前押さえ部２は、本体１の下辺中央からＴ字をなすように下方に延出した帯体からなる。襟前押さえ部２の下端には、シャツの左側打ち合わせ部２４ｂに設けられた打ち合わせボタン（第二ボタン）２５の縫い糸に係止するための打ち合わせボタン係止溝１３が形成してある。
【００２０】
襟前押さえ部２の左右両側近傍の本体下辺１ａには、本体１の帯幅が広くなるように弧状に突き出した下辺突部１ｂが形成され、襟前押さえ部２と下辺突部１ｂとの間には本体１の帯幅が狭くなるように切欠かれた切欠き部１ｃが形成されるようにしてある。この下辺突部１ｂを形成することにより、襟前の左右の襟の折り返し片２０ａ，２０ｂおよび左右の襟台２２ａ，２２ｂを高く立てることができるようになる。そして、切欠き部１ｃを形成することにより、本体１から延出する襟前押さえ部２の長さを十分長くすることができる。その結果、切欠きを設けていない場合に比べて襟前押さえ部２が大きく湾曲するようになり、また大きく湾曲させることで大きな弾力が発生して襟を高く押し上げることができ、襟を高く立てて立体的に保形することができるようになる。
【００２１】
なお、図２における襟台２２ａ，２２ｂの上辺を延長した交点の位置Ｐ（すなわち襟台の襟前中央での仮想の最上点）と、打ち合わせボタン（第二ボタン）２５との立体的な直線距離よりも、図１の襟保形具Ｋ１の本体上辺１ｄの本体中央位置Ｑから打ち合わせボタン係止溝１３のボタン係止位置Ｒまでの直線距離をどれだけ長くするかが湾曲の大きさに影響を与える。好ましくは前者よりも後者の距離が２０％〜３０％程度長く設定するようにして湾曲させるのがよい。この湾曲によって襟前押さえ部２に弾力が発生するようになり、この弾力を利用して左右襟を押し上げるようにすることができる。
【００２２】
また、襟前押さえ部２は、外力を加えていないフリーな状態で図１の紙面に対し前方に湾曲する「くせ」を与えるように成形加工してもよい。これにより、湾曲形状に維持するような強固な保形力を与えることができる。ただし、成形加工において、襟前押さえ部２をフリー状態で本体と同じ平面になるように加工してあっても保形できることは言うまでもない。
【００２３】
襟係止部３は、本体１の上辺１ｄに、本体中央を中心にして左右に所定の距離を隔てた対称の位置に一対の鉤片３ａが形成されるようにしてある。また、鉤片３ａには本体１の両端に向けた開口３ｂが形成してある。襟係止部３は、使用時には環状帯体にした本体１に対して、環状帯体の内側に折り返される。そして開口３ｂに、襟の折り返し片２０ａ，２０ｂの前端２１ａ，２１ｂと、襟台２２ａ，２２ｂとの接続部分２３ａ，２３ｂが掛かるようにしてある。
【００２４】
次に、襟保形具Ｋ１をシャツに装着した使用状態について説明する。なお、予め、右側襟台２２ａのボタン穴２６と、左側襟台２２ｂの襟台ボタン（第一ボタン）２７とは外された状態にしてある。また、右側打ち合わせ部２４ａのボタン穴（ボタン２５に隠れるため不図示）には、左側打ち合わせ部２４ｂの打ち合わせボタン（第二ボタン）２５が通してある。このようにして、襟台２２ａ，２２ｂから打ち合わせボタン２５近傍までの襟前部分が開かれた状態にしてある。
【００２５】
本発明の襟保形具Ｋ１を使用するにあたり、襟周りの長さに適したスリット１２を選択し、本体１の突片１１とスリット１２とを係合させて本体１を環状帯体にして、左右襟の折り返し片２０ａ，２０ｂと襟台２２ａ，２２ｂとの間に挿入する。そして、打ち合わせボタン係止溝１３に打ち合わせボタン（第二ボタン）２５の縫い糸が掛かるようにする。
また、右側襟の折り返し片２０ａの前端２１ａと右側襟台２２ａとの接続部分２３ａ、左側襟の折り返し片２０ｂの前端２１ｂと左側襟台２２ｂとの接続部分２３ｂに、左右の襟係止部３の鉤片３ａが掛かるようにする。このとき左右の襟の折り返し片２０ａ，２０ｂが少し広めに開かれた状態で鉤片３ａに掛かるように左右の鉤片３ａ，３ａどうしの間の距離を定めておくことで、左右の襟が近づこうとする力が働くようになるので、鉤片３ａによって襟がしっかりと保持されるようになる。そして、左側打ち合わせ部２４ｂの襟台２２ｂ近傍に模様や絵柄等のデザインが描かれている場合には、右側打ち合わせ部２４ａの裏側に隠れることなく、前方から透明な襟保形具を通して見ることができるので、この部分の模様や絵柄を視認できる。
【００２６】
図４は本発明の第二の実施形態である襟保形具Ｋ２の正面図である。なお、図１と同じ構成部分については同符号を付すことにより説明を省略する。本実施形態の襟保形具Ｋ２が図１の襟保形具Ｋ１と異なるのは、帯状の本体１を短く形成した点である。すなわち、本体１は襟周りを環状に保持する長さではなく、襟前側の半周程度を保持する長さに形成してある。
この場合でも左右の接続部分２３ａ，２３ｂ（図２参照）を鉤片３ａで保持するとともに、打ち合わせボタン係止溝１３に打ち合わせボタン２５の縫い糸が掛かるようにすることで強固に３点支持することができ、襟前をしっかりと保形することができる。
【００２７】
以上、本発明の２つの実施形態について説明したが、その他本発明の目的を達成し、請求の範囲を逸脱しない範囲内で適宜修正、変更することが可能である。
【産業上の利用可能性】
【００２８】
本発明は、襟付きシャツの襟を保形するための襟保形具に利用することができる。
【符号の説明】
【００２９】
Ｋ１，Ｋ２  襟保形具
１  本体
１ａ  本体下辺
１ｂ  下辺突部
１ｃ  切欠き部
１ｄ  本体上辺
２  襟前押さえ部
３  襟係止部
３ａ  鉤片
３ｂ  開口
１１  突片
１２  スリット
１３  打ち合わせボタン係止溝
２０ａ  右側折り返し片
２０ｂ  左側折り返し片
２１ａ  右側折り返し片の前端
２１ｂ  左側折り返し片の前端
２２ａ  右側襟台
２２ｂ  左側襟台
２３ａ  右側接続部分
２３ｂ  左側接続部分
２４ａ  右側打ち合わせ部
２４ｂ  左側打ち合わせ部
２５  打ち合わせボタン（第二ボタン）
【図１】
2015025215.tif 000003
【図２】
2015025215.tif 000004
【図４】
2015025215.tif 000005
【図３】
2015025215.tif 000006